(57)【要約】【課題】四本の木製の柱材からなる柱材集合体を、脆性的な破壊が抑制された高い強度で、基礎または他の柱材集合体に縦方向に接続できる木材の接続金具を提供する。【解決手段】接続金具１の構成を、平板状のベースプレート５０と、ベースプレート５０と平行な平板状のベースプレート２０と、ベースプレート５０，２０それぞれの外周より内側で、ベースプレート５０，２０の間に介設されている角筒体４０と、ベースプレート２０から立設している下部プレート１１ａ，１１ｂ、及び、下部プレートの両端から延出している一対の縦長プレート１２ａ，１２ｂを有し、上方に開放したコ字形を呈している平板状の保持プレート１０ａ，１０ｂの四枚が、二枚ずつ平行に間隔をあけた状態で井桁状に直交していることにより、縦長プレートの二枚ずつが直角をなしている柱材保持部１７が四カ所形成されている保持体１０と、を具備する構成とする。【選択図】図１
2018062782.tif 000002
【特許請求の範囲】
【請求項１】
四本の木製角柱状の柱材が、直交する二方向に二本ずつ配置されていると共に、前記直交する二方向それぞれにおいて、隣接している前記柱材間に一定の間隙を有する柱材集合体を、縦方向に接続するための接続金具であり、
平板状の第一ベースプレートと、
該第一ベースプレートと平行な平板状の第二ベースプレートと、
該第二ベースプレート及び前記第一ベースプレートそれぞれの外周より内側で、前記第二ベースプレートと前記第一ベースプレートとの間に介設されている角筒体と、
前記第二ベースプレートから立設している下部プレート、及び、該下部プレートの両端から延出している一対の縦長プレートを有し、上方に開放したコ字形を呈している平板状の保持プレートの四枚が、二枚ずつ平行に間隔をあけた状態で井桁状に直交していることにより、前記縦長プレートの二枚ずつが直角をなしている柱材保持部が四カ所形成されている保持体と、
を具備することを特徴とする木材の接続金具。
【請求項２】
前記第一ベースプレート及び前記第二ベースプレートは、それぞれ前記角筒体の内部と連通する貫通孔部を有する
ことを特徴とする請求項１に記載の木材の接続金具。
【請求項３】
木製角柱状の横架材の二本が直交して接合されており、それぞれの前記横架材に直交する木製角柱状の柱材の四本からなる柱材集合体が、四本の前記柱材それぞれの隣接する二側面のうち一方を二本の前記横架材の一方に当接させ、前記二側面のうち他方を前記横架材の他方に当接させた状態で、二本の前記横架材の直交部分を取り囲んでいる構造の木造構造体の前記柱材集合体が、請求項１または請求項２に記載の木材の接続金具に接続されている木材の接続構造であり、
前記柱材集合体を構成する四本の前記柱材のそれぞれは、四カ所の前記柱材保持部の一つに保持されており、一つの前記柱材において隣接している二側面は、該柱材を保持している前記柱材保持部を構成している二枚の前記縦長プレートにそれぞれ当接している
ことを特徴とする木材の接続構造。
【請求項４】
請求項１または請求項２に記載の木材の接続金具が上端に接続された前記柱材集合体と、請求項１または請求項２に記載の木材の接続金具が下端に接続された他の前記柱材集合体とが、それぞれの前記第一ベースプレートを当接させて接続されている
ことを特徴とする請求項３に記載の木材の接続構造。
【発明の詳細な説明】
【技術分野】
【０００１】
本発明は、四本の木製の柱材からなる柱材集合体を、基礎または他の柱材集合体に、縦方向に接続するための木材の接続金具、及び、該接続金具を使用した木材の接続構造に関するものである。
【背景技術】
【０００２】
本出願人は過去に、木製角柱状の横架材の二本が直交して接続されており、それぞれの横架材に直交する木製角柱状の柱材の四本からなる柱材集合体が、四本の柱材それぞれの隣接する二側面のうち一方を二本の横架材の一方に当接させ、隣接する二側面のうち他方を横架材の他方に当接させた状態で、二本の横架材の直交部分を取り囲んでいる構造の木造構造体を提案している（特許文献１参照）。
【０００３】
このような構成の木造構造体では、強固に接合された四本の柱材により形成されている柱材集合体が全体として荷重を受けるため、耐荷重性が高い。また、それぞれ柱材によって両側から挟み込まれた状態で二本の横架材が接合されているため、横架材同士の接合部及び柱材と横架材との接合部における剛性が高い。そのため、木材の利点、例えば、優れた断熱性、調湿性、高い耐比重強度（強度の割に軽い）、加工の容易性、などの利点を活かしつつ、鉄骨構造（Ｓ造）や鉄筋コンクリート構造（ＲＣ造）で採用されているラーメン構造に近い靭性を有し、外力により変形しても損壊しにくい高強度の建築物を構築することができる。
【０００４】
本出願人は、また、上記の木造構造体を用いた大型木造建築物の開発を進める中で、上記の木造構造体を「横方向」に接続するために、横架材同士を高強度に接続できる接続金具を提案している（特許文献２参照）。この接続金具で接続された横架材は、同一サイズの接続されていない一本の木材以上の強度を有している。これにより、大型木造建築物として、大きな開口部を有する木造建築物を構築することができる。
【０００５】
本発明は、このような開発の延長上にあるものであり、上記の木造構造体を「縦方向」に接続する技術、すなわち、四本の柱材からなる柱材集合体と基礎とを接続し、或いは、柱材集合体同士を縦方向に接続する接続金具、及び、該接続金具を使用した接続構造に関するものである。縦方向に延びる柱材には、地震などにより横方向に変位させようとする外力が作用したときに、変形はしても脆性的に破壊しないことが要請される。脆性的に破壊してしまうと、建築物の居住者等が避難するための時間を確保できないからである。
【先行技術文献】
【特許文献】
【０００６】
【特許文献１】特許第５４３７６４４号公報
【特許文献２】特開２０１５−９４１１２号公報
【発明の概要】
【発明が解決しようとする課題】
【０００７】
上記のように、本発明は、四本の木製の柱材からなる柱材集合体を、脆性的な破壊が抑制された高い強度で、基礎または他の柱材集合体に縦方向に接続できる木材の接続金具、及び、該接続金具を使用した木材の接続構造の提供を、課題とするものである。
【課題を解決するための手段】
【０００８】
上記の課題を解決するため、本発明にかかる木材の接続金具（以下、単に「接続金具」と称することがある）は、
「四本の木製角柱状の柱材が、直交する二方向に二本ずつ配置されていると共に、前記直交する二方向それぞれにおいて、隣接している前記柱材間に一定の間隙を有する柱材集合体を、縦方向に接続するための接続金具であり、
平板状の第一ベースプレートと、
該第一ベースプレートと平行な平板状の第二ベースプレートと、
該第二ベースプレート及び前記第一ベースプレートそれぞれの外周より内側で、前記第二ベースプレートと前記第一ベースプレートとの間に介設されている角筒体と、
前記第二ベースプレートから立設している下部プレート、及び、該下部プレートの両端から延出している一対の縦長プレートを有し、上方に開放したコ字形を呈している平板状の保持プレートの四枚が、二枚ずつ平行に間隔をあけた状態で井桁状に直交していることにより、前記縦長プレートの二枚ずつが直角をなしている柱材保持部が四カ所形成されている保持体と、を具備する」ものである。なお、接続金具は「金具」との名称通り、金属製である。
【０００９】
本構成の接続金具が接続対象とする柱材集合体は、直交して接合された二本の横架材に、その直交部分を取り囲むように接合されている柱材集合体である。そのため、柱材集合体を構成している四本の柱材は、「直交する二方向に二つずつ配置されている」構成、すなわち、２×２の構成である。また、対向する二本の柱材間に、それぞれ横架材を挟み込んでいるため、横架材のない部分では、二本の柱材間に横架材の厚さに相当する間隙を有している。つまり、「前記直交する二方向それぞれにおいて、隣接している前記柱材間に一定の間隙を有する」における「直交する二方向それぞれ」に有する「間隙」は、直交している二本の横架材それぞれの厚さに相当する間隙である。
【００１０】
本構成の接続金具における保持体は、それぞれ上方に開放したコ字形である平板状の保持プレートを井桁状に接合したものである。これにより、それぞれの保持プレートにおいて、コ字形の両端で延出している縦長プレートは合計で八枚あり、その二枚ずつが直交して形成している柱材保持部を四カ所備えている。これにより、四カ所の柱材保持部それぞれに四本の柱材を一本ずつ保持させることができ、その際、それぞれの柱材において隣接する二側面を、柱材保持部を構成している二枚の縦長プレートにそれぞれ当接させることができる。従って、柱材保持部に柱材を保持させた状態で、縦長プレートと柱材とをボルトやビスで締結することにより、接続金具に対して柱材集合体を強固に接続することができる。
【００１１】
そして、下部プレートが第二ベースプレートから立設していることから、保持体は第二ベースプレートに接合されているものであるが、本構成では、第二ベースプレートとは別に第一ベースプレートを備えている。すなわち、ベースプレートは二層構造であり、これら二枚のベースプレートは、それぞれの外周より内側で角筒体によって連結されている。仮に、ベースプレートが、第二ベースプレートの一枚のみであったとすると、柱材集合体を基礎に接続するためにアンカーボルトを打ち込むためのスペース、或いは、縦方向に柱材集合体同士を連結するために、ボルト等で締結するためのスペースが、第二ベースプレート上に必要となる。そのため、第二ベースプレートの面積を、柱材集合体の断面積より大きくする必要がある。つまり、第二ベースプレートが、柱材集合体の端部から張り出すこととなり、建築物の柱材としては外観が良くない。
【００１２】
これに対し、本構成では、ベースプレートが二層構造であり、両ベースプレートより内側で角筒体によって連結されている。従って、第一プレートにおいて角筒体の側面より外側の部分を、アンカーボルトを打ち込むためのスペース、或いは、ボルト等で締結するためのスペースとして使用することができる。そのため、第二ベースプレート及び第一ベースプレートのサイズを、柱材集合体からはみ出さないサイズに設定することが可能となり、柱材集合体を建築物の柱材として外観の良いものとすることができる。
【００１３】
また、仮に、二枚のベースプレートが、中実の部材や多数のリブで連結されているとすると、ガッチリとした剛体となり、建築物に外力が作用した際に、この部分は変形することができない。外力が作用した際に変形できない構造体は、脆性的に破壊してしまう。これに対し、本構成では、二枚のベースプレートが角筒体という、靭性材料である金属で形成された“中空”の部材で連結されている。そのため、建築物に外力が作用した際に、角筒体は柱材集合体の回転を抑制しつつ、変形することができ、柱材集合体が傾くように変位することを許容する。そして、接続金具に接続されている柱材集合体では、四本の柱材の何れにおいても、隣接する二側面それぞれに縦長プレートが当接している。
【００１４】
従って、柱材集合体がどの方向に傾いたとしても、その傾きに伴い発生する引張応力に、八枚の縦長プレートの何れかが抗する。縦長プレートを構成する金属材料は引張応力に対する耐性が高いため、柱材集合体の傾きにある程度追随して変形しつつ、外力に抗する。つまり、本構成の接続金具は、外力が作用した際の柱材集合体の傾きをある程度許容し、接続金具自体もその傾きに追随してある程度変形しつつ、外力に抗する。そのため、接続金具は、木材の脆性的な破壊を抑制しつつ、高い強度で柱材集合体を縦方向に接続することができる。
【００１５】
本発明にかかる木材の接続金具は、上記構成に加え、
「前記第一ベースプレート及び前記第二ベースプレートは、それぞれ前記角筒体の内部と連通する貫通孔部を有する」ものとすることができる。
【００１６】
柱材集合体を構成する四本の柱材は、対向する二本の柱材間に間隙を有している。つまり、柱材集合体は、長軸方向に貫通する内部空間を有している。本構成では、角筒体を介して連結されている第一ベースプレート及び第二ベースプレートが、それぞれ角筒体の内部に連通する貫通孔部を有しているため、柱材集合体が接続金具に接続されると、柱材集合体の内部空間と接続金具の内部空間とが連通する。
【００１７】
従って、電気配線、アンテナ線、電話線などの電気コード類や水の配管を、基礎から接続金具を介して柱材集合体の内部空間に導入し、更に、柱材集合体の長軸方向に沿って、その内部空間内に配設することができる。
【００１８】
次に、本発明にかかる木材の接続構造（以下、単に「接続構造」と称することがある）は、
「木製角柱状の横架材の二本が直交して接合されており、それぞれの前記横架材に直交する木製角柱状の柱材の四本からなる柱材集合体が、四本の前記柱材それぞれの隣接する二側面のうち一方を二本の前記横架材の一方に当接させ、前記二側面のうち他方を前記横架材の他方に当接させた状態で、二本の前記横架材の直交部分を取り囲んでいる構造の木造構造体の前記柱材集合体が、上記に記載の木材の接続金具に接続されている木材の接続構造であり、
前記柱材集合体を構成する四本の前記柱材のそれぞれは、四カ所の前記柱材保持部の一つに保持されており、一つの前記柱材において隣接している二側面は、該柱材を保持している前記柱材保持部を構成している二枚の前記縦長プレートにそれぞれ当接している」ものである。
【００１９】
「横架材」は、梁または桁を指している。また、横架材及び柱材は、それぞれ「木製角柱状」であるが、長軸方向に直交する断面の形状は正方形であっても長方形であっても良い。
【００２０】
本構成の接続構造は、上記構成の接続金具に柱材集合体が接続された構造である。第一ベースプレートを基礎に固定することにより、或いは、後述するように、それぞれ接続金具に接続された二つの柱材集合体の第一ベースプレート同士を連結することにより、脆性的な破壊が抑制された高い強度で、柱材集合体を縦方向に接続することができる。
【００２１】
本発明にかかる接続構造は、上記構成に加え、
「上記に記載の木材の接続金具が上端に接続された前記柱材集合体と、上記に記載の木材の接続金具が下端に接続された他の前記柱材集合体とが、それぞれの前記第一ベースプレートを当接させて接続されている」ものとすることができる。
【００２２】
これは、柱材集合体同士が縦方向に接続された接続構造である。二つの柱材集合体同士を縦方向に接続するとき、上層の柱材集合体の下端に接続される接続金具と、下層の柱材集合体の上端に接続される接続金具とは、上下に反転した関係とする。これにより、二つの接続金具の第一ベースプレート同士を当接させた状態で、二つの接続金具を介して、二つの柱材集合体を縦方向に接続することができる。
【００２３】
従って、本構成の接続構造によれば、脆性的な破壊が抑制された高い強度を有する“高層”の建築物を、木製の柱材及び横架材からなる木造構造体によって構築することができる。また、接続金具に接続された木造構造体を工場で製造しておき、現場で接続金具同士を連結することにより、容易な作業で効率的に、高層の大型木造建築物を構築することができる。
【００２４】
更に、柱材集合体が縦方向に接続されるに当たり、接続金具を介して接続されることにより、接続される柱材集合体を、異なるサイズとすることが可能である。例えば、上層の柱材集合体を構成する柱材より、下層の柱材集合体を構成する柱材に太い木材を使用することにより、耐荷重性を一層高めることができる。
【発明の効果】
【００２５】
以上のように、本発明の効果として、四本の木製の柱材からなる柱材集合体を、脆性的な破壊が抑制された高い強度で、基礎または他の柱材集合体に縦方向に接続できる木材の接続金具、及び、該接続金具を使用した木材の接続構造を、提供することができる。
【図面の簡単な説明】
【００２６】
【図１】本発明の一実施形態である接続金具の分解斜視図である。
【図２】図１の接続金具の一部分解斜視図である。
【図３】図１の接続金具に柱材集合体を接続した接続構造の要部斜視図である。
【図４】（ａ）図３の接続構造の横断面図であり、（ｂ）図３の接続構造の縦断面図である。
【図５】図１の接続金具の二つの連結を説明する一部分解斜視図である。
【図６】図１の接続金具を使用した建築物の側面図である。
【図７】（ａ），（ｂ），（ｃ）図１の接続金具に接続される柱材集合体を構成とする木造構造体の平面図である。
【図８】図５の建築物に使用される連結体を例示する斜視図である。
【図９】図１の接続金具の変形例を説明する縦断面図である。
【発明を実施するための形態】
【００２７】
以下、本発明の一実施形態である接続金具１、接続金具１を使用した接続構造、及び、該接続構造を使用した建築物５について、図１乃至図８を用いて説明する。
【００２８】
まず、接続金具１の構成について説明する。接続金具１は、主に図１に示すように、ベースプレート５０と、他のベースプレート２０と、ベースプレート２０，５０の間に介設されている角筒体４０と、それぞれ下部プレート１１ａ，１１ｂ及び一対の縦長プレート１２ａ，１２ｂからなる保持プレート１０ａ，１０ｂの四枚で構成され、ベースプレート２０に接合されている保持体１０と、ベースプレート２０の外周近傍から立設された第二縦長プレート３０ａ，３０ｂと、を具備している。なお、ベースプレート５０が本願発明の「第一ベースプレート」に相当し、ベースプレート２０が「第二ベースプレート」に相当する。
【００２９】
より詳細に説明すると、ベースプレート５０は外形が正方形の平板状であり、中心に正方形の貫通孔部５３が穿設されている。貫通孔部５３の二対の内周辺は、ベースプレート５０の二対の外周辺とそれぞれ平行である。ベースプレート５０において、貫通孔部５３の外周縁部には、ボルトを通すための孔部５９が複数貫設されている。
【００３０】
角筒体４０は断面の外形が正方形であり、ベースプレート５０の貫通孔部５３に丁度嵌め込まれるサイズである。角筒体４０は、下端側が貫通孔部５３に嵌め込まれた状態で、溶接によりベースプレート５０と一体化されている。
【００３１】
ベースプレート２０は、外形がベースプレート５０と同サイズの正方形である。従って、角筒体４０の外形の正方形は、ベースプレート２０，５０双方の外形の正方形より小さい。また、ベースプレート２０の中心には、ベースプレート５０の貫通孔部５３より小さい正方形の貫通孔部２３が穿設されている。更に、ベースプレート２０には、外周辺に沿って細長い長方形のスリット２５が貫設されている。このスリット２５は、ベースプレート２０の一辺当たり二つ、計八つが形成されている。ベースプレート２０は、その裏面に角筒体４０の上端が溶接によって接合されることにより、ベースプレート５０と平行に、且つ、平面視（真上から見た視野）でベースプレート５０と重なるように、角筒体４０及びベースプレート５０と一体化されている。
【００３２】
保持体１０を構成する四枚の保持プレート１０ａ，１０ｂは、それぞれ横長の長方形の下部プレート１１ａ，１１ｂの両端から、それぞれ縦長の長方形で同一の大きさの一対の縦長プレート１２ａ，１２ｂが延出していることにより、全体としてコ字形を呈している平板状のプレートである。保持プレート１０ａ，１０ｂそれぞれにおいて、下部プレート１１ａ，１１ｂと縦長プレート１２ａ，１２ｂとの境界はなく、全体として一体のプレートである。四枚のうち二枚の保持プレート１０ａは、下部プレート１１ａにおいてコ字形が開放している側とは反対側の辺で開口しているスリット１５ａを二つ有しており、二つのスリット１５ａはそれぞれ一対の縦長プレート１２ａの内側の辺の延長上にある。他の二枚の保持プレート１０ｂは、下部プレート１１ｂにおいてコ字形が開放している側の辺で開口しているスリット１５ｂを二つ有しており、二つのスリット１５ｂはそれぞれ一対の縦長プレート１２ｂの内側の辺の延長上にある。
【００３３】
従って、二枚の保持プレート１０ａを平行に、二つのスリット１５ｂ間の距離に相当する間隔をあけた状態とすると共に、二枚の保持プレート１０ｂを平行に、二つのスリット１５ａ間の距離に相当する間隔をあけた状態で、スリット１５ｂを介して下部プレート１１ｂをスリット１５ａに挿入すると共に、スリット１５ａを介して下部プレート１１ａをスリット１５ｂに挿入することにより、四枚の保持プレート１０ａ，１０ｂが井桁状となる。この状態で、四枚の保持プレート１０ａ，１０ｂが溶接で接合されることにより、保持体１０が形成される。このような保持体１０では、保持プレート１０ａ，１０ｂが直交していることにより、それぞれ隣接して直角をなす縦長プレート１２ａ，１２ｂからなる柱材保持部１７が、四カ所形成されている。
【００３４】
また、保持体１０は、二枚の保持プレート１０ａそれぞれの下部プレート１１ａ、及び、二枚の保持プレート１０ｂそれぞれの下部プレート１１ｂによって形成された角筒部を中央に有している。保持体１０の下端がベースプレート２０の上面に溶接によって接合されることにより、角筒部の内部空間１３（図４（ａ）参照）は、ベースプレート２０の貫通孔部２３と連通する。つまり、接続金具１では、ベースプレート５０の貫通孔部５３、角筒体４０の内部空間４３、ベースプレート２０の貫通孔部２３、及び、保持体１０の角筒部の内部空間１３が連通することにより、接続金具１の全体を貫通する空間が形成されている。
【００３５】
第二縦長プレート３０ａ，３０ｂは計八枚あり、その幅長さ及び厚さはベースプレート２０のスリット２５に丁度嵌め込まれるサイズである。八枚のうち四枚の第二縦長プレート３０ａは、ベースプレート２０における一対の辺に沿って形成されたスリット２５に挿入されて、保持プレート１０ａの縦長プレート１２ａと対面する。残りの四枚の第二縦長プレート３０ｂは、ベースプレート２０における他の一対の辺に沿って形成されたスリット２５に挿入されて、保持プレート１０ｂの縦長プレート１２ｂと対面する。なお、第二縦長プレート３０ａ，３０ｂは縦長の略長方形であるが、上端の外形は円弧状に形成されている。
【００３６】
接続金具１の構成のうち、ベースプレート５０、角筒体４０、ベースプレート２０、及び保持体１０は、図２に示すように予め一体化されている。一方、第二縦長プレート３０ａ，３０ｂは、柱材集合体６を接続金具１に接続する際に、ベースプレート２０と一体化される。
【００３７】
ここで、柱材集合体６は木造構造体７０の構成である。木造構造体７０は、図７（ａ）〜（ｃ）に示すように、木製角柱状の二本の横架材７１，７２が直交して接合されており、横架材７１，７２それぞれに直交する木製角柱状の柱材６０の四本が、それぞれ隣接する二側面のうち一方を横架材７１に当接させ他方を横架材７２に当接させた状態で、横架材７１，７２の直交部分を取り囲んでいる構造である。それぞれの柱材６０には、横架材７１に直交する方向の貫通孔９５と、横架材７２に直交する方向の貫通孔９６とが、干渉を避けて異なる高さに形成されている。従って、横架材７１または横架材７２を挟み込んでいる二つの柱材６０同士を、貫通孔９５，９６に通したボルトとナットで締結することにより、横架材７１，７２を介して四本の柱材６０を一体化し、柱材集合体６とすることができる。
【００３８】
横架材７１及び横架材７２は、それぞれの接合部を“相欠き”とすることにより、一方の横架材の相欠き部の端面を他方の横架材の側面に当接させることによって、直交状態で接合することができる。或いは、一方の横架材を切断し、切断部の端面を他方の横架材の側面に当接させることによって、直交状態で接合することができる。なお、図７（ａ）は、横架材７１，７２それぞれが直交部を越えて長く延びて十字形を形成している形態であり、建築物の平面空間における内部に位置させる木造構造体７０である。図７（ｂ）は、横架材７１と横架材７２とでＴ字形を形成している形態であり、建築物の平面空間において角部を除く外周部に位置させる木造構造体７０である。図７（ｃ）は、横架材７１と短い横架材７２とでＬ字形を形成している形態であり、建築物の平面空間における角部に位置させる木造構造体７０である。
【００３９】
何れの木造構造体７０においても、柱材集合体６の構成は同一であり、四本の木製角柱状の柱材６０が、直交する二方向に二本ずつ配置されており、直交する二方向のうち一方向で隣接している柱材６０間に、横架材７１の太さに等しい間隙を有すると共に、直交する二方向のうち他方向で隣接している柱材６０間に、横架材７２の太さに等しい間隙を有している。ここでは、四本の柱材６０は長軸方向に直交する断面が同一サイズの正方形であり、横架材７１，７２は長軸方向に直交する断面が同一サイズの長方形である場合を例示している。従って、本実施形態では、柱材集合体６の外形の四角形、すなわち、柱材集合体６を構成する四本の柱材６０の外周面を延長して形成される四角形は、正方形である。そして、上述したベースプレート５０，２０の外形の正方形は、この柱材集合体６の外形の正方形と同一の大きさに設定されている。
【００４０】
上記構成の接続金具１に上記構成の柱材集合体６を接続するには、柱材集合体６を構成する四本の柱材６０のそれぞれを、四カ所の柱材保持部１７の一つに保持させる。その際、それぞれの柱材保持部１７において直角をなしている二枚の縦長プレート１２ａ，１２ｂを、柱材６０において隣接している二側面にそれぞれ当接させる。
【００４１】
この状態で、図４（ａ）に示すように、八枚の第二縦長プレート３０ａ，３０ｂのうち四枚の第二縦長プレート３０ａが、それぞれ柱材６０を介して縦長プレート１２ａと対面するように、その下部をスリット２５に挿入すると共に、その側面を柱材６０に当接させる。また、他の四枚の第二縦長プレート３０ｂが、それぞれ柱材６０を介して縦長プレート１２ｂと対面するように、その下部をスリット２５に挿入すると共に、その側面を柱材６０に当接させる。柱材６０は、第二縦長プレート３０ａ，３０ｂをそれぞれ当接させる部分が、表面からスリット２５の奥辺の深さまで、第二縦長プレート３０ａ，３０ｂの形状に予め切削されている。これにより柱材６０の表面に当接させている第二縦長プレート３０ａ，３０ｂが、ベースプレート２０の外周より内側に形成されているスリット２５に挿入されているものでありながら、柱材６０の表面をベースプレート２０の外周と同一面とし、外観の良いものとすることができる。
【００４２】
そして、スリット２５に挿入された第二縦長プレート３０ａ，３０ｂの下部は、ベースプレート２０の裏面側から溶接してベースプレート２０に固定する。上述したように、角筒体４０の外形の正方形はベースプレート２０の外形の正方形より小さいため（角筒体４０はベースプレート２０の外周より内側にあるため）、ベースプレート２０の周辺に沿って形成されたスリット２５の下方には、ベースプレート５０との間に空間が存在する。そのため、この空間において、第二縦長プレート３０ａ，３０ｂをベースプレート２０の裏面側から溶接する作業を行うことができる。
【００４３】
更に、第二縦長プレート３０ａ，３０ｂには、上端近傍に孔部３９が貫設されており、この孔部３９と同じ高さとなるように、縦長プレート１２ａ，１２ｂには孔部１９が貫設されている。そこで、第二縦長プレート３０ａ，３０ｂの孔部３９に通したボルトを、柱材６０を貫通させ、対面している縦長プレート１２ａ，１２ｂの孔部１９にも通した上でナットを留め付ける。すなわち、図４（ｂ）に二点鎖線Ｌ１で示すように、柱材６０を介して対面している縦長プレート１２ａと第二縦長プレート３０ａとは、同一のボルトで締結する。同様に、柱材６０を介して対面している縦長プレート１２ｂと第二縦長プレート３０ｂとは、同一のボルトで締結する。
【００４４】
ここで、第二縦長プレート３０ａと第二縦長プレート３０ｂとは、異なる長さに形成されている。これは、第二縦長プレート３０ａ，３０ｂは、同一の柱材６０の隣接する二側面に対面させるものであるため、それぞれが対面する縦長プレート１２ａ，１２ｂと締結させるためのボルトを、干渉を避けて異なる高さで直交させるためである。
【００４５】
また、第二縦長プレート３０ａ，３０ｂには、それぞれ第二縦長プレート３０ａ，３０ｂと締結するためのボルトを通す孔部１９より高く、上端に近い位置に孔部１９ｈが貫設されている（図２参照）。これらの孔部１９ｈを介して柱材６０を貫通させたボルトは、平板状の小プレート３２ａ，３２ｂの孔部に通した上でナットを留め付ける。すなわち、図４（ｂ）に二点鎖線Ｌ２で示すように、柱材６０を介して対面している縦長プレート１２ａと小プレート３２ａとをボルトで締結する。同様に、柱材６０を介して対面している縦長プレート１２ｂと小プレート３２ｂとをボルトで締結する。これにより、柱材６０に当接させた第二縦長プレート３０ａ，３０ｂが、縦方向の全長にわたり柱材６０にしっかりと固定された状態となる。
【００４６】
なお、小プレート３２ａ，３２ｂは、外形が円形のプレートである。また、柱材６０は、小プレート３２ａ，３２ｂをそれぞれ当接させる部分が、小プレート３２ａ，３２ｂの厚さ分、その形状に予め切削されている。これにより、柱材集合体６の外側から柱材６０に当接させる小プレート３２ａ，３２ｂが目立ちにくく、外観の良いものとなる。
【００４７】
以上により、図３及び図４に示すように、木造構造体７０の柱材集合体６が、接続金具１に接続された接続構造が構築される。本実施形態の接続構造では、柱材集合体６を構成する四本の柱材６０のそれぞれは、四カ所の柱材保持部１７の一つに保持されており、一つの柱材６０の隣接する二側面は、その柱材６０を保持している柱材保持部１７を構成している二枚の縦長プレート１２ａ，１２ｂにそれぞれ当接した状態で固定されている。また、本実施形態の接続構造では更に、ベースプレート２０の外周近傍から立設された第二縦長プレート３０ａ，３０ｂが、柱材６０を介してそれぞれ縦長プレート１２ａ，１２ｂと対面しており、対面している縦長プレート１２ａと第二縦長プレート３０ａ、及び縦長プレート１２ｂと第二縦長プレート３０ｂは、同一のボルトで締結されている。なお、図４は図３の断面図に相当し、図４（ａ）はＹ−Ｙ線で切断した横断面図であり、図４（ｂ）はＸ−Ｘ線で切断した縦断面図である。
【００４８】
上記のように、木造構造体７０を構成する柱材集合体６の下端を接続金具１に接続した状態で、ベースプレート５０の孔部５９に通したアンカーボルトを基礎に打ち込むことにより、図６に示すように、柱材集合体６を基礎Ｂに接続することができる。接続金具１は、ベースプレート２０とは別にベースプレート５０を備えている二層構造であり、これら二枚のベースプレート２０，５０は、それぞれの外周より内側で角筒体４０によって連結されている。そのため、ベースプレート２０の外周を柱材集合体６の外周面と同一面として外観の良いものとした上で、ベースプレート５０において角筒体４０の側面より外側の部分を、アンカーボルトを打ち込むためのスペースとして使用することができる。
【００４９】
また、柱材集合体６同士を縦方向に接続する場合は、図５に示すように、上層となる柱材集合体６の下端を接続する接続金具１と上下を反転させた関係にある接続金具１に、下層となる柱材集合体６の上端を接続する。そして、二つの接続金具１のベースプレート５０同士を重ね合わせ、それぞれの孔部５９に通したボルトをナットで留め付けることにより、二つの接続金具１を介して柱材集合体６同士を縦方向に接続することができる。なお、図５では、柱材集合体６、第二縦長プレート３０ａ，３０、及び小プレートの図示を省略している。
【００５０】
このように、上下を反転させた二つの接続金具１が、それぞれのベースプレート５０同士を重ね合わせて一体化された状態を「接続金具２」と称すると、接続金具２を介する柱材集合体６同士の接続は、図６に示すように、階層の途中で行う。階層の途中は、横架材の直交部に比べて、外力が集中しにくいためである。ここでは、三階の中途高さで、接続金具２を介して柱材集合体６同士が縦方向に接続されている場合を例示している。
【００５１】
以上のように、接続金具１，２により柱材集合体６を縦方向に接続した接続構造では、二枚のベースプレート５０，２０が角筒体４０という中空の部材で連結されている。そのため、外力が作用した際に、角筒体４０は柱材集合体６の回転を抑制しつつ変形し、柱材集合体６が傾くように変位することを許容する。そして、柱材集合体６を構成する柱材６０には、それぞれの側面に添わせた状態で縦長プレート１２ａ，１２ｂが固定されているため、柱材集合体６がどの方向に傾いたとしても、その傾きに伴い作用する引張応力には、八枚の縦長プレート１２ａ，１２ｂの何れかが柱材６０と共に傾きつつ抗する。例えば、図４（ｂ）において、柱材集合体６が紙面左側に傾いた場合、左側の柱材６０に右側から当接している縦長プレート１２ａが、引張応力に抗することとなる。
【００５２】
加えて、柱材集合体６の傾きに伴って縦長プレート１２ａ，１２ｂが傾いた場合、縦長プレート１２ａ，１２ｂの孔部１９を介して柱材６０を貫通しているボルトの何れかに対して、浮き上がらせるような力が作用する。例えば、図４（ｂ）において、柱材集合体６が紙面左側に傾いた場合、右側の柱材６０に左側から当接している縦長プレート１２ａを固定しているボルト（図示、二点鎖線Ｌ１）に、右の端部側を浮き上がらせるような力が作用する。これに対し、本実施形態では、柱材６０を介して対面している縦長プレート１２ａと第二縦長プレート３０ａとが、同一のボルトで締結されており、第二縦長プレート３０ａの下端はベースプレート２０に固定されているため、ボルトを浮き上がらせるように作用する力に、第二縦長プレート３０ａが抗することとなる。このようなボルトの浮き上がりを抑制する作用は、柱材６０を介して対面している縦長プレート１２ｂと第二縦長プレート３０ｂについても、同様である。
【００５３】
このように、接続金具１，２は、外力が作用した際の柱材集合体６の傾きをある程度許容し、靭性材料で形成された接続金具１，２自体もその傾きに追随してある程度変形しつつ、外力に抗する。そのため、接続金具１，２は、木材の脆性的な破壊を抑制しつつ、高い強度で柱材集合体６を縦方向に接続することができる。
【００５４】
また、接続金具１，２を使用した接続構造では、柱材集合体６の外側に表れる第二縦長プレート３０ａ，３０ｂ及び小プレート３２ａ，３２ｂが目立たないように、柱材６０の表面を切削して埋設している。仮に、柱材６０に埋設されたプレートが角部を有する形状であると、外力によって柱材６０が傾いたときにプレートの角部に応力が集中し、柱材６０に亀裂を生じさせる原因となりやすい。これに対し、本実施形態では、第二縦長プレート３０ａ，３０ｂの上端の外形を円弧状としていると共に、小プレート３２ａ，３２ｂの外形を円形としているため、上記のような応力集中が生じず、柱材６０に亀裂が発生しにくい利点を有している。
【００５５】
更に、接続金具１，２では、ベースプレート５０の貫通孔部５３、角筒体４０の内部空間４３、ベースプレート２０の貫通孔部２３、及び、保持体１０の角筒部の内部空間１３が連通していることにより、全体を貫通する空間を有しており、その空間は柱材集合体６の内部空間と連通している。従って、電気配線、アンテナ線、電話線などの電気コード類や水の配管を、基礎から接続金具１を介して柱材集合体６の内部空間に導入することができ、柱材集合体６に沿って、その内部空間に配設することができる。加えて、柱材集合体６の内部空間に配設された電気コード類などは、接続金具２を介して、更に上層の柱材集合体６の内部空間まで導くことができる。
【００５６】
なお、図６に示す建築物５では、柱材集合体６を構成している四本の柱材６０を、柱材集合体６の内部空間において連結体８０で連結している。この連結体８０は、図８に示すように、それぞれ断面コ字形である二つの連結片８１，８２を、直交させて重ね合わせた状態で接合したものである。直交する連結片８１，８２それぞれの側面を、四本の柱材６０それぞれにおいて、柱材集合体６の内部空間に面している二側面に当接させた状態で、連結体８０を柱材６０に対して固定する。このような連結体８０を柱材集合体６の複数箇所に設けることにより、柱材６０のねじれや曲がりが有効に抑制される。この連結体８０も中央に貫通孔部８３を有しているため、接続金具１，２を介して柱材集合体６の内部空間に配設される電気コード類の経路を遮ることなく、貫通孔部８３に通すことができる。
【００５７】
また、図６に示す建築物５では、木造構造体７０の構成を、横架材の長さを短く設定した「腕出しタイプ」とし、木造構造体７０の横架材を、接合金具９０を介して他の横架材７５と横方向に接続している。このような「腕出しタイプ」の木造構造体７０とすることにより、木造構造体７０の製造、及び、木造構造体７０における柱材集合体６の接続金具１への接続を工場内で行っておくことができ、建築物５の建築現場では、木造構造体７０の横方向及び縦方向の接続のみを施工すれば足りる。従って、脆性的な破壊が抑制された高強度の大型木造建築物を、簡易な作業で効率よく構築することができる。
【００５８】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００５９】
例えば、図６では、接続金具２を介して同じ太さの柱材集合体６が縦方向に接続されている場合を例示した。これに限定されず、下層の柱材集合体が上層の柱材集合体より太さが大きい柱材からなる設定とすることができる。この場合、接続金具の大きさは、接続される柱材集合体の大きさに応じた設定とし、上層の柱材集合体の下端が接続される接続金具より、下層の柱材集合体の上端が接続される接続金具の方を大型とする。接続金具を介して柱材集合体同士が接続される接続構造であるため、このように、接続される柱材集合体同士のサイズを異なる設定とすることが、容易である利点を有している。
【００６０】
また、上記では、接続金具１においてベースプレート２０，５０の間に介在させる角筒体４０を、ベースプレート５０の貫通孔部５３に嵌め込んで固定するに当たり、ベースプレート５０の両面のうち外側の面と、角筒体４０の端面とを同一面とする場合を図示により例示した（図４（ｂ），図５参照）。これに限定されず、二つの接続金具１を連結する場合、図９に示すように、下層側となる接続金具１では、角筒体４０の端部をベースプレート５０の外側の面より突出させると共に、その突出させた長さ分だけ、上層側となる接続金具１では、角筒体４０の端面がベースプレート５０の外側の面より内側に位置させるように固定することができる。これにより、二つの接続金具１それぞれのベースプレート５０同志を、それぞれの外側の面を当接させた状態で連結する際、角筒体４０を内側に位置させた方の接続金具１の貫通孔部５３によって、他方の接続金具１の角筒体４０の突出部分が案内される。そのため、ずれを防止して容易に位置決めすることができ、作業効率良く二つの接続金具１を連結することができる。
【符号の説明】
【００６１】
１，２  接続金具（木材の接続金具）
６  柱材集合体
１０  保持体
１０ａ，１０ｂ  保持プレート（保持体）
１１ａ，１１ｂ  下部プレート（保持プレート）
１２ａ，１２ｂ  縦長プレート（保持プレート）
１７  柱材保持部（保持体）
２０  ベースプレート（第二ベースプレート）
２３  貫通孔部（第二ベースプレートの貫通孔部）
４０  角筒体
５０  ベースプレート（第一ベースプレート）
５３  貫通孔部（第一ベースプレートの貫通孔部）
６０  柱材
７１，７２  横架材
【図１】
2018062782.tif 000003
【図２】
2018062782.tif 000004
【図３】
2018062782.tif 000005
【図４】
2018062782.tif 000006
【図５】
2018062782.tif 000007
【図６】
2018062782.tif 000008
【図７】
2018062782.tif 000009
【図８】
2018062782.tif 000010
【図９】
2018062782.tif 000011